(57)【要約】【課題】車両発進時における加速度の急な立ち上がりを抑えること。【解決手段】制動装置４の制動トルクが車輪に付与されていないにも拘わらず、駆動輪に付与している駆動トルクで車両を発進させることができない場合、その駆動トルクを増加させる駆動制御部と、その駆動トルクの増加に伴い車両が発進したときに、車輪に対して制動装置４の制動トルクを付与する制動制御部と、を電子制御装置１に備える。そして、制動制御部は、パーキングブレーキ解除動作後、車両が発進するまでの間に、制動装置４における摩擦材と被摩擦材との間の距離を近づけるプレフィル制御を実施すること。【選択図】図１
2014226975.tif 000002
【特許請求の範囲】
【請求項１】
制動装置の制動トルクが車輪に付与されていないにも拘わらず、駆動輪に付与している駆動トルクで車両を発進させることができない場合、該駆動トルクを増加させる駆動制御部と、
前記駆動トルクの増加に伴い車両が発進したときに、前記車輪に対して前記制動装置の制動トルクを付与する制動制御部と、
を備え、
前記制動制御部は、パーキングブレーキ解除動作後、車両が発進するまでの間に、前記制動装置における摩擦材と被摩擦材との間の距離を近づけるプレフィル制御を実施することを特徴とする発進制御装置。
【請求項２】
前記プレフィル制御は、前記パーキングブレーキ解除動作後で、且つ、制動装置の制動トルクが車輪に付与されていないにも拘わらず、駆動輪に付与している駆動トルクで車両を発進させることができない場合に実施することを特徴とする請求項１記載の発進制御装置。
【請求項３】
車両の発進に伴い付与する前記制動装置の制動トルクは、車両発進直前の前記駆動トルクの増加分に相当することを特徴とする請求項１又は２に記載の発進制御装置。
【請求項４】
前記制動装置の制動トルクの付与後、ジャークが０となるように、前記駆動制御部が前記駆動トルクの増加分を減少させ、且つ、前記制動制御部が前記制動トルクの付与分を減少させることを特徴とする請求項１，２又は３に記載の発進制御装置。
【発明の詳細な説明】
【技術分野】
【０００１】
本発明は、停止状態から車両を駆動させる発進制御装置に関する。
【背景技術】
【０００２】
従来、この種の発進制御装置が知られている。例えば、下記の特許文献１には、段差乗り上げ時に駆動トルクを発生させているにも拘わらず車両が停止状態の場合、その駆動トルクの増加により車両を発進させ、段差乗り上げ後に駆動トルクを抑制して又は制動トルクを付与して、段差を降りる際の車速の急上昇を抑える、と云う技術が開示されている。尚、下記の特許文献２には、パーキングブレーキを解除する際に、ブレーキシューのドラムへの押圧力を大きくすることで、これらの固着を解消させる、と云う技術が開示されている。また、下記の特許文献３には、運転者の制動操作を検知したときに、ブレーキパッドをディスクロータに接近させるフィルアップ制御を行って、これらの間のアイドルストロークを減少させる、と云う技術が開示されている。
【先行技術文献】
【特許文献】
【０００３】
【特許文献１】特開２００７−０７７８７１号公報
【特許文献２】特開２０１０−２４１２７１号公報
【特許文献３】特開２０１０−２４７７９３号公報
【発明の概要】
【発明が解決しようとする課題】
【０００４】
ところで、パーキングブレーキ装置は、停車時の係合動作中に摩擦材と被摩擦材との間が錆や氷結によって固着してしまい、その間の解除動作を行い且つ車両発進時の駆動トルク（所謂クリープトルク）を発生させたとしても、その固着状態が解消されないことがある。これが為、このパーキングブレーキ装置が固着状態になっている車両に特許文献１の技術を適用することで、この車両は、駆動トルクの増加によってパーキングブレーキ装置の固着状態が解消し、発進することができる。しかしながら、特許文献１の技術は、停止状態からの段差の乗り上げ（つまり車両の発進）の検知に基づいて、駆動トルクの抑制又は制動トルクの付与を行っている。従って、パーキングブレーキ装置の固着状態を解消して発進できたとしても、駆動トルク又は制動トルクの制御応答性が低い場合には、加速度の急な立ち上がりを抑えることができない可能性がある。
【０００５】
そこで、本発明は、かかる従来例の有する不都合を改善し、車両発進時における加速度の急な立ち上がりを抑えることが可能な発進制御装置を提供することを、その目的とする。
【課題を解決するための手段】
【０００６】
上記目的を達成する為、本発明は、制動装置の制動トルクが車輪に付与されていないにも拘わらず、駆動輪に付与している駆動トルクで車両を発進させることができない場合、該駆動トルクを増加させる駆動制御部と、前記駆動トルクの増加に伴い車両が発進したときに、前記車輪に対して前記制動装置の制動トルクを付与する制動制御部と、を備え、前記制動制御部は、パーキングブレーキ解除動作後、車両が発進するまでの間に、前記制動装置における摩擦材と被摩擦材との間の距離を近づけるプレフィル制御を実施することを特徴としている。
【０００７】
ここで、前記プレフィル制御は、前記パーキングブレーキ解除動作後で、且つ、制動装置の制動トルクが車輪に付与されていないにも拘わらず、駆動輪に付与している駆動トルクで車両を発進させることができない場合に実施することが望ましい。
【０００８】
また、車両の発進に伴い付与する前記制動装置の制動トルクは、車両発進直前の前記駆動トルクの増加分に相当することが望ましい。
【０００９】
また、前記制動装置の制動トルクの付与後、ジャークが０となるように、前記駆動制御部が前記駆動トルクの増加分を減少させ、且つ、前記制動制御部が前記制動トルクの付与分を減少させることが望ましい。
【発明の効果】
【００１０】
本発明に係る発進制御装置は、パーキングブレーキ解除動作後、車両が発進するまでの間に、予め制動装置における摩擦材と被摩擦材との間の距離を近づけておくことで、車両が発進したときに付与する制動トルクの出力応答性を向上させることができる。従って、この発進制御装置は、増加させた駆動トルクによる加速度の立ち上がりに対して、制動トルクの付与による減速度の立ち上がりの応答遅れを抑制できるので、車両発進時における加速度の急な立ち上がりを抑えることができる。
【図面の簡単な説明】
【００１１】
【図１】図１は、本発明に係る発進制御装置の構成を示す図である。
【図２】図２は、本発明に係る発進制御装置の車両発進時の制御動作を説明するフローチャートである。
【発明を実施するための形態】
【００１２】
以下に、本発明に係る発進制御装置の実施例を図面に基づいて詳細に説明する。尚、この実施例によりこの発明が限定されるものではない。
【００１３】
［実施例］
本発明に係る発進制御装置の実施例を図１及び図２に基づいて説明する。
【００１４】
本実施例の発進制御装置は、車両発進時における車両制御（主に制駆動力制御）を行うものであり、その車両制御に係る演算処理を実施する電子制御装置（ＥＣＵ）１を備える。
【００１５】
この発進制御装置を有する車両には、少なくとも１つの動力源２と変速機３とを駆動装置として設けている。動力源２は、例えば機関（内燃機関等のエンジン）や回転機（電動機等）のことである。また、この例示の変速機３は、自動変速機とする。その動力源２と変速機３の動作は、電子制御装置１の駆動制御部によって制御される。
【００１６】
更に、この車両は、制動装置４を備える。ここで例示する制動装置４は、所謂ディスクブレーキ装置であり、マスタシリンダ圧または調圧後のブレーキ液圧に応じた制動トルクを車輪に付与することができる。この制動装置４の一例を以下で説明する。
【００１７】
制動装置４は、夫々の車輪に対して個別に制動トルクを発生させることができる。この制動装置４には、運転者のブレーキペダル１０の操作量（以下、「ブレーキ操作量」と云う。）に応じたブレーキ液圧（マスタシリンダ圧）を発生させる液圧発生装置２０と、ブレーキ液圧に応じた制動トルクを発生させる車輪毎の制動トルク発生装置３０ｆｒ，３０ｒｌ，３０ｆｌ，３０ｒｒと、その液圧発生装置２０のブレーキ液圧をそのまま又は車輪毎に調圧して夫々の制動トルク発生装置３０ｆｒ，３０ｒｌ，３０ｆｌ，３０ｒｒに供給する液圧調整装置４０と、が設けられている。その制動トルク発生装置３０ｆｒ，３０ｒｌ，３０ｆｌ，３０ｒｒは、供給油圧により動作するホイールシリンダ３１ｆｒ，３１ｒｌ，３１ｆｌ，３１ｒｒと、このホイールシリンダ３１ｆｒ，３１ｒｌ，３１ｆｌ，３１ｒｒに押動される摩擦材を有するブレーキパッド３２ｆｒ，３２ｒｌ，３２ｆｌ，３２ｒｒと、このブレーキパッド３２ｆｒ，３２ｒｌ，３２ｆｌ，３２ｒｒの摩擦材が押し付けられる被摩擦材としてのディスクロータ３３ｆｒ，３３ｒｌ，３３ｆｌ，３３ｒｒとを備える。
【００１８】
ブレーキペダル１０には、その操作（制動操作）を検出するストップランプスイッチ１１と、ブレーキ操作量（ペダル踏み込み量やペダル踏力等）を検出する操作量検出部１２と、が接続されている。そのストップランプスイッチ１１と操作量検出部１２の出力信号は、電子制御装置１に送られる。
【００１９】
液圧発生装置２０は、制動倍力部（ブレーキブースタ）２１とマスタシリンダ２２とリザーバタンク２３とを備える。制動倍力部２１は、運転者のペダル踏力を所定の倍力比で倍化させるものである。マスタシリンダ２２は、制動倍力部２１で倍化されたペダル踏力（運転者のペダル踏力と制動倍力部２１のアシスト力の和）に応じたマスタシリンダ圧を内部の２つの油圧室に発生させるものである。リザーバタンク２３は、マスタシリンダ２２の上部でブレーキ液を貯留する。そのマスタシリンダ２２とリザーバタンク２３との間は、ブレーキペダル１０が踏み込まれていないときに連通状態にあり、ブレーキペダル１０の踏み込みと共に閉塞状態になる。これが為、マスタシリンダ２２の各油圧室は、ブレーキペダル１０の踏み込みと共に加圧が可能になる。
【００２０】
マスタシリンダ２２の各油圧室には、夫々に第１液圧通路２４と第２液圧通路２５とが接続されている。その第１及び第２の液圧通路２４，２５は、更に液圧調整装置４０に接続されており、マスタシリンダ圧のブレーキ液を液圧調整装置４０に送る。第１液圧通路２４には、マスタシリンダ圧センサ２６が接続されている。そのマスタシリンダ圧センサ２６は、マスタシリンダ２２と後述する第１液圧回路のマスタカット弁４１との間に配置している。このマスタシリンダ圧センサ２６の出力信号は、電子制御装置１に送られる。尚、マスタシリンダ圧センサ２６は、第２液圧通路２５に接続してもよい。
【００２１】
液圧調整装置４０は、その動作が電子制御装置１の制動制御部によって制御される。この液圧調整装置４０は、右側前輪及び左側後輪に対してブレーキ液圧を伝える第１液圧回路と、左側前輪及び右側後輪に対してブレーキ液圧を伝える第２液圧回路と、を備えた所謂Ｘ配管のものとして例示する。この液圧調整装置４０においては、第１液圧通路２４を第１液圧回路に接続し、第２液圧通路２５を第２液圧回路に接続する。
【００２２】
具体的に、この液圧調整装置４０は、２つのマスタカット弁４１，４２を備えている。マスタカット弁４１は、第１液圧回路におけるブレーキ液の流量調整部として作用するものであり、第１液圧通路２４の端部が接続される。また、マスタカット弁４２は、第２液圧回路におけるブレーキ液の流量調整部として作用するものであり、第２液圧通路２５の端部が接続される。このマスタカット弁４１，４２は、所謂常開式の流量調整用の電磁弁であって、制動制御部による通電に伴って閉止側への弁開度の制御を実行する。従って、夫々のマスタカット弁４１，４２は、通電量に応じた弁開度の制御によって、後述する加圧ポンプ７９，８０から吐出されたブレーキ液の圧力を調節し、マスタシリンダ２２側へと開放する。
【００２３】
この液圧調整装置４０においては、第１液圧通路２４がマスタカット弁４１を介して連結通路４３に接続される一方、第２液圧通路２５がマスタカット弁４２を介して連結通路４４に接続される。連結通路４３には、２本の分岐通路４５，４６が接続される。その各分岐通路４５，４６は、夫々に右側前輪における制動トルク発生装置３０ｆｒのホイールシリンダ３１ｆｒと左側後輪における制動トルク発生装置３０ｒｌのホイールシリンダ３１ｒｌとに接続する。一方、連結通路４４には、２本の分岐通路４７，４８が接続される。その各分岐通路４７，４８は、夫々に左側前輪における制動トルク発生装置３０ｆｌのホイールシリンダ３１ｆｌと右側後輪における制動トルク発生装置３０ｒｒのホイールシリンダ３１ｒｒに接続する。
【００２４】
その各分岐通路４５，４６，４７，４８上には、夫々の車輪毎に液圧調圧部を設けている。その各液圧調圧部は、夫々に制動トルク発生装置３０ｆｒ，３０ｒｌ，３０ｆｌ，３０ｒｒのブレーキ液圧の調整を可能にしたものである。この各液圧調圧部は、夫々に保持弁５０，５１，５２，５３と液圧排出通路５４，５５，５６，５７と減圧弁５８，５９，６０，６１とを備える。各保持弁５０，５１，５２，５３は、夫々に分岐通路４５，４６，４７，４８上に配置する。各液圧排出通路５４，５５，５６，５７は、夫々の保持弁５０，５１，５２，５３の下流側で分岐通路４５，４６，４７，４８に各々接続する。各減圧弁５８，５９，６０，６１は、その夫々の分岐通路４５，４６，４７，４８上に配置する。尚、ここで云う下流とは、制動操作時のブレーキ液の流動方向（つまり、制動トルク発生装置３０ｆｒ，３０ｒｌ，３０ｆｌ，３０ｒｒへと向かう方向）における下流側のことを指す。
【００２５】
保持弁５０，５１，５２，５３は、所謂常開式の電磁弁であって、制動制御部による通電に伴って閉止側への弁開度の制御を実行する。一方、減圧弁５８，５９，６０，６１は、所謂常閉式の電磁弁であって、制動制御部による通電に伴って開弁側への弁開度の制御を実行する。
【００２６】
第１液圧通路２４と連結通路４３との間には、マスタカット弁４１と並列に逆止弁６２が配置されている。その逆止弁６２は、第１液圧通路２４側から連結通路４３側へのブレーキ液の流れのみを許容するものである。これと同じ様に、第２液圧通路２５と連結通路４４との間には、マスタカット弁４２と並列に逆止弁６３が配置されている。その逆止弁６３は、第２液圧通路２５側から連結通路４４側へのブレーキ液の流れのみを許容するものである。また、第１液圧回路においては、連結通路４３と分岐通路４５との間に逆止弁６４が保持弁５０と並列に配置され、連結通路４３と分岐通路４６との間に逆止弁６５が保持弁５１と並列に配置されている。第２液圧回路においては、連結通路４４と分岐通路４７との間に逆止弁６６が保持弁５２と並列に配置され、連結通路４４と分岐通路４８との間に逆止弁６７が保持弁５３と並列に配置されている。その逆止弁６４，６５，６６，６７は、ホイールシリンダ３１ｆｒ，３１ｒｌ，３１ｆｌ，３１ｒｒ側からマスタカット弁４１，４２側へのブレーキ液の流れのみを許容するものである。
【００２７】
また、ここでは、第１液圧回路における夫々の液圧排出通路５４，５５を一纏めにする集合通路６８と、第２液圧回路における夫々の液圧排出通路５６，５７を一纏めにする集合通路６９と、が用意されている。その各集合通路６８，６９は、夫々に補助リザーバ７０，７１に接続されている。補助リザーバ７０には、第１液圧通路２４から分岐させた吸入通路７２が接続され、補助リザーバ７１には、第２液圧通路２５から分岐させた吸入通路７３が接続される。その吸入通路７２，７３上には、夫々にリザーバカット逆止弁７４，７５を設けている。そのリザーバカット逆止弁７４，７５は、補助リザーバ７０，７１側から第１及び第２の液圧通路２４，２５側へのブレーキ液の流れのみを許容するものである。
【００２８】
更に、第１液圧回路には、連結通路４３から保持弁５０，５１の上流側で分岐させ、集合通路６８に接続したポンプ通路７６を設けている。これと同じ様に、第２液圧回路には、連結通路４４から保持弁５２，５３の上流側で分岐させ、集合通路６９に接続したポンプ通路７７を設けている。その各ポンプ通路７６，７７上には、電動機７８によって駆動される加圧ポンプ（加圧部）７９，８０と、この加圧ポンプ７９，８０よりもマスタカット弁４１，４２側及び保持弁５０，５１，５２，５３側に配置した逆止弁８１，８２と、を夫々に設けている。その逆止弁８１，８２は、加圧ポンプ７９，８０側からマスタカット弁４１，４２側及び保持弁５０，５１，５２，５３側へのブレーキ液の流れのみを許容するものである。
【００２９】
このように構成した制動装置４は、その動作が上述したように電子制御装置１によって制御される。
【００３０】
具体的に、その電子制御装置１には、操作量検出部１２により検出されたブレーキ操作量と、マスタシリンダ圧センサ２６により検出されたマスタシリンダ圧と、が入力される。この電子制御装置１の制動制御部は、そのブレーキ操作量とマスタシリンダ圧とに基づいて、マスタカット弁４１，４２と保持弁５０，５１，５２，５３と減圧弁５８，５９，６０，６１と電動機７８（加圧ポンプ７９，８０）とを制御し、ホイールシリンダ３１ｆｒ，３１ｒｌ，３１ｆｌ，３１ｒｒへの供給油圧を調整することで、各車輪の制動トルクを制御する。その際、この制動制御部は、ブレーキ操作量に基づいて運転者の要求制動力を演算する。そして、この制動制御部は、その要求制動力に応じた制動トルク発生装置３０ｆｒ，３０ｒｌ，３０ｆｌ，３０ｒｒにおける夫々の要求制動トルクを演算し、この要求制動トルクを発生させるように液圧調整装置４０の制御を行う。
【００３１】
この制動装置４においては、通常時（非励磁状態のとき）に、マスタカット弁４１，４２と保持弁５０，５１，５２，５３が開弁状態にあり、減圧弁５８，５９，６０，６１が閉弁状態にある。これが為、運転者がブレーキペダル１０の踏み込み操作を行ったときには、制動倍力部２１で倍化されたペダル踏力に応じたマスタシリンダ圧が発生する。
【００３２】
ホイールシリンダ３１ｆｒ，３１ｒｌ，３１ｆｌ，３１ｒｒのブレーキ液圧を増圧させる増圧モードの場合には、そのマスタカット弁４１，４２と保持弁５０，５１，５２，５３と減圧弁５８，５９，６０，６１とが通常時の状態のままで、加圧ポンプ７９，８０を駆動制御する。これにより、その加圧ポンプ７９，８０は、補助リザーバ７０，７１のブレーキ液を加圧して吐出し、その加圧圧力をマスタシリンダ圧と共に、保持弁５０，５１，５２，５３を介してホイールシリンダ３１ｆｒ，３１ｒｌ，３１ｆｌ，３１ｒｒに作用させる。これが為、この制動装置４においては、制動トルク発生装置３０ｆｒ，３０ｒｌ，３０ｆｌ，３０ｒｒの制動トルクを増加させることができる。
【００３３】
一方、ホイールシリンダ３１ｆｒ，３１ｒｌ，３１ｆｌ，３１ｒｒのブレーキ液圧を減圧させる減圧モードの場合には、マスタカット弁４１，４２と保持弁５０，５１，５２，５３を閉弁させる一方、減圧弁５８，５９，６０，６１を開弁させる。これにより、ブレーキ液は、補助リザーバ７０，７１に送られ、その際の余剰分が吸入通路７２，７３に送り出される。これが為、この制動装置４においては、制動トルク発生装置３０ｆｒ，３０ｒｌ，３０ｆｌ，３０ｒｒの制動トルクを減少させることができる。
【００３４】
その増圧モード又は減圧モードでブレーキ液圧が所定のブレーキ液圧になった場合、制動制御部は、マスタカット弁４１，４２と保持弁５０，５１，５２，５３と減圧弁５８，５９，６０，６１を閉弁させる。この保持モードにおいては、その所定のブレーキ液圧でホイールシリンダ３１ｆｒ，３１ｒｌ，３１ｆｌ，３１ｒｒのブレーキ液圧が保持される。
【００３５】
更に、この車両は、パーキングブレーキ装置５を備える。ここで例示するパーキングブレーキ装置５は、図示しない摩擦材を有するブレーキシューと被摩擦材としてのドラムとを備え、ブレーキシューの摩擦材をドラムに押し付けることで当該車輪に制動トルクを付与する。このパーキングブレーキ装置５は、そのブレーキシューとドラムを例えば後輪に備える。このパーキングブレーキ装置５においては、その摩擦材と被摩擦材とが係合すると、パーキングブレーキスイッチ６がオンになり、そのオン信号が電子制御装置１に送信される。尚、この車両では、その様なパーキングブレーキ装置５に替えて、制動装置４をパーキングブレーキ装置として利用してもよい。また、例えば、制動装置４における後輪側を所謂ドラムブレーキ装置に置き換えることも可能であり、この場合には、そのドラムブレーキ装置をパーキングブレーキ装置として利用すればよい。
【００３６】
ここで、このパーキングブレーキ装置５は、前述した様に、停車時の係合動作中に摩擦材と被摩擦材との間が錆や氷結によって固着してしまい、その間の解除動作を行い且つ車両発進時の駆動トルク（クリープトルク）を発生させたとしても、制動装置４が制動トルクを発生させていないにも拘わらず、その固着状態が解消されないことがある。これが為、車両発進時には、制動装置４の制動トルクが車輪に付与されていないにも拘わらず、駆動輪に付与している駆動トルク（クリープトルク）で車両を発進させることができない場合、その駆動トルクを増加させることで、その固着状態の解消を図る。
【００３７】
ところで、その様にして固着状態が解消したときには、その増加分だけ駆動トルクがクリープトルクよりも大きくなっているので、運転者が意図しているよりも加速度の立ち上がりが急になり、発進車速が急上昇してしまう可能性がある。従って、その駆動トルクの増加に伴い車両が発進したときには、制動装置４で車輪に対して制動トルクを付与することによって、運転者の意図していない急な加速度の立ち上がりの抑制を図る。しかしながら、制動装置４においては、非制動時の磨耗や引き摺り損失を抑える為に、ブレーキパッド３２ｆｒ，３２ｒｌ，３２ｆｌ，３２ｒｒの摩擦材とディスクロータ３３ｆｒ，３３ｒｌ，３３ｆｌ，３３ｒｒとの間に所定の隙間を設けているので、少なくともその隙間の分だけ制動トルクの発生に遅れが生じる。そして、車両においては、その制動トルクが車両の発進に遅れて発生すると、発進直後の急な加速度の立ち上がりを抑えることができない。
【００３８】
そこで、この発進制御装置においては、遅くとも車両発進前までに、制動装置４における摩擦材と被摩擦材との間の距離を近づけるプレフィル制御を実施することで、車両が発進したときに付与する制動トルクの出力応答性を向上させる。例えば、この発進制御装置には、パーキングブレーキ解除動作後、車両が発進するまでの間に、そのプレフィル制御を実施させる。よりプレフィル制御の実施時期を明確にするのであれば、制動制御部は、パーキングブレーキ装置５の解除動作後に車両が発進しない場合、そのプレフィル制御を実施する。
【００３９】
以下、この発進制御装置における車両発進時の制御動作を図２のフローチャートに基づき説明する。電子制御装置１の発進制御部は、例えば車両のドアの解錠やイグニッションオンと共に本制御を開始する。
【００４０】
先ず、発進制御部は、本制御の制御開始条件が成立しているのか否かを判定する（ステップＳＴ１）。例えば、錆による固着を解消する場合には、このステップＳＴ１において、パーキングブレーキ装置５が動作していたのか否かを判定する。この判定は、例えば、本制御がドアの解錠を契機にして開始する場合、今現在（ドア解錠直後）のパーキングブレーキスイッチ６のオン信号に基づいて行ってもよく、本制御がイグニッションオンを契機にして開始する場合、そのオン信号や前回イグニッションオフになる直前まで受信していた当該オン信号の受信履歴に基づいて行ってもよい。発進制御部は、パーキングブレーキ装置５が動作していた場合、制御開始条件が成立していると判定する。一方、発進制御部は、パーキングブレーキ装置５が動作していない場合、パーキングブレーキ装置５の固着の可能性が低いので、制御開始条件が成立していないと判定し、本制御を終わらせる。また、氷結による固着を解消する場合には、このステップＳＴ１において、外気温センサ７の検出信号を利用し、車外が氷結し得る温度になっているのか否かを判定する。発進制御部は、車外が氷結し得る温度になっている場合、制御開始条件が成立していると判定する。一方、発進制御部は、車外が氷結し得る温度よりも高温の場合、氷結による固着の可能性が低いので、制御開始条件が成立していないと判定し、本制御を終わらせる。
【００４１】
発進制御部は、制御開始条件が成立している場合、運転者が動力源２を始動させ、且つ、変速機３の変速レンジを走行用レンジ（所謂ＤレンジやＲレンジ、変速段毎のレンジ）に変速させたならば（ステップＳＴ２）、駆動制御部に指令を送り、クリープトルクＴｃ（＝Ｔｃ０）を発生させる（ステップＳＴ３）。
【００４２】
発進制御部は、運転者の解除操作又は車両側の解除指令によってパーキングブレーキ装置５が解除動作を行い、且つ、ブレーキペダル１０から足を離した（サービスブレーキオフ）ならば（ステップＳＴ４）、車両が停止中か否かを判定する（ステップＳＴ５）。この判定は、例えば、車速センサや車輪速度センサ等の様な車速検出装置８の検出信号に基づいて行う。
【００４３】
発進制御部は、車両が発進した場合、パーキングブレーキ装置５が固着状態になっていないと判断し、本制御を終わらせる。
【００４４】
一方、発進制御部は、車両が停止中の場合、パーキングブレーキ装置５が固着状態になっている可能性があるので、制動制御部に制御を渡す。制動制御部は、液圧調整装置４０を増圧モードに制御し、制動装置４における摩擦材（ブレーキパッド３２ｆｒ，３２ｒｌ，３２ｆｌ，３２ｒｒの摩擦材）と被摩擦材（ディスクロータ３３ｆｒ，３３ｒｌ，３３ｆｌ，３３ｒｒ）との間の距離を近づけるプレフィル制御を実行する（ステップＳＴ６）。制動制御部は、その間の距離が所定距離となったときに、液圧調整装置４０を増圧モードから保持モードに切り替えて、その距離が所定距離で保たれるように制御する。その所定距離は、摩擦材と被摩擦材との間の距離が所定距離で保たれているときに、その間で引き摺り損失（制動トルク）が発生せず、且つ、保持モードから再び増圧モードに切り替えたときに、その間で直ぐに制動トルクを発生させる距離とする。例えば、制動制御部は、摩擦材と被摩擦材とが互いに接触しないが、増圧モードとなったときに直ぐに制動トルクを発生させるように、摩擦材と被摩擦材との間の距離を略０に制御する。また、制動制御部は、摩擦材と被摩擦材とが互いに接触する位置まで（摩擦材と被摩擦材との間の距離が０になるまで）ブレーキパッド３２ｆｒ，３２ｒｌ，３２ｆｌ，３２ｒｒを押し動かすが、その摩擦材と被摩擦材とが接触するのみで、制動トルク（引き摺り損失）を略発生させないように制御する。
【００４５】
プレフィル制御の実行後、発進制御部は、クリープトルクＴｃを増加させるよう駆動制御部に指令を送る（ステップＳＴ７）。増加分ΔＴｃは、例えば、複数回行った実験やシミュレーションの結果を反映させ、パーキングブレーキ装置５の固着状態が解消される駆動トルク（以下、「固着解消トルク」と云う。）Ｔｓの平均値に基づいて決めてもよい。この場合には、その固着解消トルクＴｓの平均値から通常時のクリープトルクＴｃ０を減算したものが増加分ΔＴｃの最小値となる。しかしながら、その固着状態が常に同じ状態であるとは限らないので、固着解消トルクＴｓも常に一定になっているとは限らない。これが為、このステップＳＴ７で使う増加分ΔＴｃは、予め所定の値（例えば、上記の固着解消トルクＴｓの平均値よりも小さい値）を設定しておく。そして、駆動制御部には、その増加させたクリープトルクＴｃ（＝Ｔｃ＋ΔＴｃ）が現状の固着解消トルクＴｓを超えて、車両が発進できるようになるまで、増加分ΔＴｃを繰り返し加えさせていく。
【００４６】
発進制御部は、クリープトルクＴｃの増加後に車両が停止中か否かを判定する（ステップＳＴ８）。発進制御部は、車両が停止中の場合、駆動制御部に指令を送り、ステップＳＴ７に戻って再びクリープトルクＴｃを増加させる。そして、この発進制御部は、車両が動き始めた場合、制動制御部に指令を送り、制動装置４に制動トルクＴｂを付与させる（ステップＳＴ９）。その制動トルクＴｂは、各車輪が夫々に発生させる制動トルクの和であり、車両発進直前に増加させたクリープトルクＴｃの増加分ΔＴｃに一致させる。この制動装置４においては、上述したプレフィル制御を実施しているので、その制動トルクＴｂの発生指令と共に、応答性良く制動トルクＴｂが作用する。従って、車両において、車両発進時の急な加速度の立ち上がりが抑制される。
【００４７】
発進制御部は、駆動制御部と制動制御部に指令を送り、ジャークΔＧが０となるようにクリープトルクＴｃと制動トルクＴｂを制御させる（ステップＳＴ１０）。ここでは、クリープトルクＴｃを通常時のクリープトルクＴｃ０の大きさにまで減少させると共に、制動トルクＴｂを０にまで減少させる。これにより、車両においては、クリープトルクＴｃの増加分ΔＴｃや制動トルクＴｂによる加減速度の変動が抑制され、車両発進時の衝撃を緩和することができる。
【００４８】
発進制御部は、制動トルクＴｂが０まで減少したのか否かを判定する（ステップＳＴ１１）。発進制御部は、制動トルクＴｂが未だ０になっていなければ、ステップＳＴ１０の制御を繰り返し、制動トルクＴｂが０まで減少したならば、本制御を終了させる。
【００４９】
ここで、本制御におけるプレフィル制御以降の各種制御は、運転者のブレーキ操作が行われたときに、運転者の停車の意思を尊重して、車両発進の前後に拘わらず中断する。この場合には、例えば、運転者が再びブレーキペダル１０から足を離したときに、パーキングブレーキ装置５が解除動作を行っているならば、ステップＳＴ５から再開させる。また、本制御におけるプレフィル制御以降の各種制御は、運転者のアクセル操作が行われたときに、運転者の加速発進の意思を尊重して、車両発進の前後に拘わらず中止する。この場合には、アクセル操作に応じた駆動トルクによってパーキングブレーキ装置５の固着状態が解消される。
【００５０】
この様に、この発進制御装置は、パーキングブレーキ装置５が解除動作後も固着状態のままであり、各車輪に制動装置４の制動トルクが付与されていないにも拘わらず、通常時のクリープトルクで車両を発進させることができない場合、駆動トルク（クリープトルク）の増加によって固着状態の解消を図る。そして、この発進制御装置は、固着状態が解消され、車両が発進し始めると、制動装置４で各車輪に制動トルクを付与する。その際、発進制御装置は、パーキングブレーキ装置５の解除動作が行われてから車両が発進するまでの間に上記のプレフィル制御を実施し、予め制動装置４の摩擦材と被摩擦材との間の距離を近づけているので、車両が発進し始めると共に、制動装置４が応答性良く制動トルクを発生させることができる。従って、この発進制御装置は、増加させた駆動トルクによる加速度の立ち上がりに対して、制動トルクの付与による減速度の立ち上がりの応答遅れが抑制されるので、車両発進時の急な加速度の立ち上がりを抑制することができ、運転者の違和感を解消することができる。
【００５１】
ここで、そのプレフィル制御は、パーキングブレーキ解除動作後で、且つ、制動装置４の制動トルクが車輪に付与されていないにも拘わらず、駆動輪に付与している駆動トルクで車両を発進させることができない場合に実施している。つまり、この発進制御装置は、パーキングブレーキ装置５が固着していないときのプレフィル制御の実施を回避し、パーキングブレーキ装置５が固着している可能性の高いときにプレフィル制御を実施している。従って、この発進制御装置は、そのプレフィル制御の実施を必要としないときに無用な制動装置４の制御が行われないので、プレフィル制御の為の電動機７８の駆動制御に要する電力消費量を抑えることができる。
【００５２】
更に、この発進制御装置は、停車状態で駆動トルク（クリープトルク）を増加させる前に、上記のプレフィル制御を実施している。これが為、例えば僅かな駆動トルクの増加で車両が発進するような固着状態であっても、この発進制御装置は、車両の発進と共に応答性良く制動トルクを付与し、車両発進時の急な加速度の立ち上がりを抑制することができる。従って、この発進制御装置は、停車状態で駆動トルク（クリープトルク）の増加を検知していようがいまいが、その検知の有無に拘わらず、上記のプレフィル制御を実施することが望ましい。
【００５３】
また、発進制御装置は、その制動トルクの付与後、直ぐに、ジャークが０となるよう駆動トルク（クリープトルク）の増加分と制動トルクを減少させる。従って、この発進制御装置は、車両発進時の衝撃を緩和することができる。
【符号の説明】
【００５４】
１  電子制御装置
２  動力源
３  変速機
４  制動装置
５  パーキングブレーキ装置
６  パーキングブレーキスイッチ
７  外気温センサ
８  車速検出装置
１０  ブレーキペダル
２０  液圧発生装置
３０ｆｒ，３０ｒｌ，３０ｆｌ，３０ｒｒ  制動トルク発生装置
４０  液圧調整装置
７８  電動機
７９，８０  加圧ポンプ
【図１】
2014226975.tif 000003
【図２】
2014226975.tif 000004